(57)【要約】  家庭日用品製品はフレグランス組成物を含み、フレグランス組成物は、フレグランス組成物の総重量基準で、約０．２から１０重量％未満のイソプレゴールを含む。知覚される冷感を空気中で送達するための方法は、イソプレゴールを空気中に分散させること、または上記のような家庭日用品製品を使用することを含む。【特許請求の範囲】
【請求項１】
フレグランス組成物を含む家庭日用品製品であって、前記フレグランス組成物が、前記フレグランス組成物の総重量基準で、約０．２から１０重量％未満のイソプレゴールを含む、家庭日用品製品。
【請求項２】
前記フレグランス組成物が、前記フレグランス組成物の総重量基準で、約０．２から約５重量％のイソプレゴールを含む、請求項１に記載の家庭日用品製品。
【請求項３】
前記イソプレゴールが（−）−イソプレゴールである、請求項１または請求項２に記載の家庭日用品製品。
【請求項４】
前記フレグランス組成物が、さらに、前記フレグランス組成物の総重量基準で、メントール（ＣＡＳ  ８９−７８−１）、メントン（ＣＡＳ  １４０７３−９７−３）、酢酸メンチル（ＣＡＳ  ７９−２０−９）、乳酸メンチル（ＣＡＳ  ５４７−６４−８）、カンファー（ＣＡＳ  ７６−２２−２）、１，４−シネオール（ＣＡＳ  ４７０−８２−６）、ｐ−メンタン−３，８−ジオール（ＣＡＳ  ４２８２２−８６−６）、メントキシプロパンジオール（ＣＡＳ  ８７０６１−０４−９）、メントングリセリンアセタール（ＣＡＳ  ６３１８７−９１−７）、３−ヒドロキシブタン酸２−イソプロピル−５−メチルシクロヘキシル（ＣＡＳ  １０８７６６−１６−１）、Ｎ−エチル−５−メチル−２−（１−メチルエチル）シクロヘキサンカルボキサミド（ＣＡＳ  ３９７１１−７９−０）、Ｎ，２，３−トリメチル−２−プロパン−２−イルブタンアミド（ＣＡＳ  ５１１１５−６７−４）、（３Ｓ，３ａＲ，３ｂＲ，４Ｓ，７Ｒ，７ａＲ）−３，７−ジメチル−４−（プロパン−２−イル）オクタヒドロ−１Ｈ−シクロペンタ［１，３］シクロプロパ［１，２］ベンゼン−３−オール（ＣＡＳ  ２３４４５−０２−５）、スペアミント油（ＣＡＳ  ８００８−７９−５）、およびペパーミント油（ＣＡＳ  ８００６−９０−４）からなる群より選択される１つ以上の冷感剤を約０．１から約１０重量％含む、請求項１から３のいずれか１項に記載の家庭日用品製品。
【請求項５】
エアフレッシュナーディスペンサー装置である、請求項１から４のいずれか１項に記載の家庭日用品製品。
【請求項６】
床クリーナーである、請求項１から４のいずれか１項に記載の家庭日用品製品。
【請求項７】
台所またはバスルーム用サーフェスクリーナーである、請求項１から４のいずれか１項に記載の家庭日用品製品。
【請求項８】
トイレリムブロックまたはトイレ貯水槽ブロックである、請求項１から４のいずれか１項に記載の家庭日用品製品。
【請求項９】
イソプレゴールの、または請求項１から８のいずれか１項において定義された家庭日用品製品の、知覚される冷感を空気中で送達するための薬剤としての使用。
【請求項１０】
知覚される冷感を空気中で送達するための方法であって、イソプレゴールを空気中に分散させること、または請求項１から８のいずれか１項において定義された家庭日用品製品を使用することを含む、方法。
【発明の詳細な説明】
【技術分野】
【０００１】
本発明は、フレグランス組成物を含む家庭日用品製品に関するものであり、イソプレゴールを含む前記フレグランス組成物は、知覚される冷感を空気中で送達できるが、製品配合物自体が被験者の皮膚または粘膜に直接接触することはなく、また製品が鼻に近接している必要もない。特に、本発明の家庭日用品製品は、エアフレッシュナーディスペンサー装置、床クリーナー、トイレリムブロック、またはトイレ貯水槽ブロックであってもよい。本発明はまた、知覚される冷感を空気中で送達するための方法にも関する。
【背景技術】
【０００２】
家および閉じた公共建物において空気中の悪臭を低減またはマスクするためのエアケア製品が市販されている。Ｓ．Ｃ．ジョンソン（Ｊｏｈｎｓｏｎ）は、商品名グレード（ＧＬＡＤＥ（登録商標））で製品を販売しており、レキットベンキーザー（Ｒｅｃｋｉｔｔ−Ｂｅｎｃｋｉｓｅｒ）は、商品名エアウィック（ＡＩＲ  ＷＩＣＫ（登録商標））で製品を販売しており、またプロクター・アンド・ギャンブル（Ｐｒｏｃｔｅｒ＆Ｇａｍｂｌｅ）は、商品名ファブリーズ（ＦＥＢＲＥＺＥ（登録商標））およびアンビプール（ＡＭＢＩＰＵＲ（登録商標））で製品を販売している。エアフレッシュナー組成物は、特許文献、例えば特許文献１；特許文献２；特許文献３；特許文献４；および特許文献５において、広く記載されている。これらの製品はいくつかの形態をとってもよく、例えば、それらは使用者の自由裁量で特定の場所に対して適用可能な、エアゾールスプレーまたはトリガースプレーなどの定方向の装置であってもよく、あるいはそれらは部屋用の一般的なエアフレッシュナー、例えば自動スプレー、プラグイン電気装置、および、ゲル、キャンドル、ワックスメルト、またはリードディフューザーなどのディフュージョン装置であってもよい。別の群の蒸気分配装置は、蒸発可能な組成物で含浸または被覆されたペーパーボードなどの担体材料を使用する。製造業者らは常に、これらの製品の機能性を改善して、悪臭低減、防虫性、または飽きさせないための香りの変更など、さらに利便性を高めようと努めている。
【０００３】
冷感剤は、人体の冷感受容体を刺激することにより、皮膚及び粘膜の冷感を提供する化学化合物である。冷感剤は、非特許文献１においてよく記載されている。冷感剤を消費者製品に添加して、感覚経験を増強することは周知である。かかる製品の典型的な例は、食用および携帯型の組成物、例えば、
−飲料、菓子、およびチューインガム；
−トイレタリー用品、例えばアフターシェーブローション、シェービングクリーム、ゲルおよびフォーム、防臭剤および制汗剤、化粧石鹸、バスオイルおよびソルト、シャンプー、ヘアコンディショナー、ボディウォッシュ、リップスティック、ヘアオイル、タルカムパウダー、フェイスクリーム、ハンドクリーム、サンバーンローション、クレンジングティッシュ、歯磨剤、およびマウスウォッシュ；
−防腐軟膏、リニメント剤、ローション、うっ血除去剤、咳止め薬、のど飴、消化不良剤、および経口鎮痛剤を含む、医薬製品および同類の組成物、
である。
【先行技術文献】
【特許文献】
【０００４】
【特許文献１】英国特許出願公告第１３１５６２６号明細書
【特許文献２】米国特許第６２６７２９７号明細書
【特許文献３】米国特許第４８１４２１２号明細書
【特許文献４】米国特許第６０３６９２５号明細書
【特許文献５】米国特許出願公開第２００７／０１２２３７３号明細書
【非特許文献】
【０００５】
【非特許文献１】Ｊｏｈｎ  Ｃ．Ｌｅｆｆｉｎｇｗｅｌｌ著、Ｃｏｏｌｉｎｇ  Ｉｎｇｒｅｄｉｅｎｔｓ  ａｎｄ  Ｔｈｅｉｒ  Ｍｅｃｈａｎｉｓｍ  ｏｆ  Ａｃｔｉｏｎ、「Ｈａｎｄｂｏｏｋ  ｏｆ  Ｃｏｓｍｅｔｉｃ  Ｓｃｉｅｎｃｅ  ａｎｄ  Ｔｅｃｈｎｏｌｏｇｙ」第３版、Ａｎｄｒｅ  Ｏ．Ｂａｒｅｌ、Ｍａｒｃ  Ｐａｙｅ、Ｈｏｗａｒｄ  Ｉ．Ｍａｉｂａｃｈ編、Ｉｎｆｏｒｍａ  Ｈｅａｌｔｈｃａｒｅ、ニューヨーク、２００９年。
【発明の概要】
【発明が解決しようとする課題】
【０００６】
冷感剤の典型的な例は、Ｌ−メントール、カンファー、サリチル酸メチル、ボルネオール、シネオール、メントン、スペアミント油、ペパーミント油、３−（Ｌ−メントキシ）プロパン−１，２−ジオール、パラメンタン−３，８−ジオール、３−ヒドロキシ酪酸メチル、クベボール、ｎ−エチル−ｐ−メンタン−３−カルボキサミド（ＷＳ−３）、２−イソプロピル−Ｎ，２，３−トリメチルブチルアミド（ＷＳ−２３）、Ｌ−メントン１，２−グリセロールケタール、乳酸メンチル、コハク酸メンチル、酢酸メンチルである。しかしながら、これらの冷感剤は、皮膚に直接塗布されるか、または皮膚に近接して使用されることを必要とする。別の欠点は、これらの冷感剤の多くが強い匂いをもつことであり、それは全く心地よくない可能性があり、また常に他のフレグランスノートと調和して混合されない可能性がある。例えば、メントールは最も重要な冷感「センセート（sensate）」剤の１つとなってきたが、消費者はしばしば、メントールのミント臭および他の匂いのある「センセート（sensate）」化合物から分離された冷感を好むことから、その香調が多くのフレグランスおよびフレーバー用途には不適当であると考える。
【課題を解決するための手段】
【０００７】
本発明は、メントールよりも有意に弱い冷感剤、すなわちイソプレゴールをベースとするフレグランス組成物を含む家庭日用品製品であって、該冷感剤が充分に揮発性であってフレグランスとともに蒸発し、かつ知覚される冷感を、空気を介して送達するようにする、家庭日用品製品を提供する。実際、イソプレゴールがフレグランス組成物中に配合される場合、組成物の匂いをかいでいる人は、空気がより冷たい／より爽やかであると知覚することが見出された。かかるフレグランス組成物を含む家庭日用品製品は、それ故消費者に利益を提供するだろう。本発明の状況においては、家庭日用品製品は、非摂取および非局所適用製品である。さらに、冷感剤自体の匂いのせいで狭い範囲のフレグランスノートに制限されることを避けるため、イソプレゴールはメントールよりも弱く、そのため組成物のフレグランスノートには殆ど強く影響することなく、広範囲のフレグランス組成物において高い用量で使用できる。
【０００８】
したがって、第１の態様においては、本発明はフレグランス組成物を含む家庭日用品製品であって、前記フレグランス組成物が、フレグランス組成物の総重量基準で、約０．２から１０重量％未満のイソプレゴールを含む、家庭日用品製品に関する。
【０００９】
家庭日用品製品は、各々がフレグランス組成物を含む、エアフレッシュナーディスペンサー装置、床クリーナー、台所またはバスルーム用サーフェスクリーナー、トイレリムブロック、あるいはトイレ貯水槽ブロックでよい。
【００１０】
本発明はまた、イソプレゴールの、または本発明の家庭日用品製品の、知覚される冷感を空気中で送達するための薬剤としての使用にも関する。
【００１１】
最後に、本発明はイソプレゴールを空気中に分散させることにより、あるいは本発明の家庭日用品製品、例えばエアフレッシュナーディスペンサー装置、床クリーナー、台所もしくはバスルーム用サーフェスクリーナー、トイレリムブロック、またはトイレ貯水槽ブロックを使用することにより、知覚される冷感を空気中で送達するための方法に関する。
【発明の効果】
【００１２】
本発明においては、知覚される冷感を空気中で送達できるが、製品配合物自体が被験者の皮膚または粘膜と直接接触することはなく、また製品が鼻に近接している必要もない。
【図面の簡単な説明】
【００１３】
【図１】図１は、オレンジフレグランスで刺激された被験者における、脳波検査（ＥＥＧ）の結果を示す図である。
【図２】図２は、図１と同じオレンジフレグランスにイソプレゴールが添加されて刺激された被験者における、脳波検査（ＥＥＧ）の結果を示す図である。
【発明を実施するための形態】
【００１４】
第１の態様によれば、本発明はフレグランス組成物を含む家庭日用品製品であって、前記フレグランス組成物が、フレグランス組成物の総重量基準で、イソプレゴール、好ましくは（−）イソプレゴールを約０．２から１０重量％未満含む、家庭日用品製品に関する。
【００１５】
イソプレゴールは、皮膚の神経終末の受容体を直接刺激して冷感を生じることにより、皮膚に冷感を与える冷感剤として知られている。本発明者らは今驚くべきことに、イソプレゴールがまた、空気中で知覚される冷感を生じ、かつフレグランス組成物を含有する家庭日用品製品において、フレグランス組成物のフレグランスノートに影響を及ぼすことなく使用できることを見出した。本発明者らは、イソプレゴールが三叉神経（顔、鼻、および口において疼痛、温度、および接触を含む感覚を担当する神経）に影響を及ぼし、かつ脳の三叉神経応答を誘発することを観察した。イソプレゴールはそれ故、三叉神経刺激性化合物として現れる。
【００１６】
本発明の家庭日用品製品は、好ましくは、フレグランス組成物の総重量基準で、約０．２から約９重量％、約０．２から約８重量％、約０．２から約７重量％、約０．２から約６重量％、約０．２から約５重量％、約０．２から約４重量％、約０．２から約３重量％のイソプレゴールを含むフレグランス組成物を含む。フレグランス組成物は、フレグランス組成物の総重量基準で、約１から約９重量％、約１から約８重量％、約１から約７重量％、約１から約６重量％、約１から約５重量％、約１から約４重量％、約１から約３重量％のイソプレゴールを含んでもよい。フレグランス組成物はまた、フレグランス組成物の総重量基準で、約２から約９重量％、約２から約８重量％、約２から約７重量％、約２から約６重量％、約２から約５重量％、約２から約４重量％のイソプレゴールを含んでもよい。
【００１７】
イソプレゴールは、ラセミ混合物（ＣＡＳ  ７７８６−６７−６）、または（−）異性体（ＣＡＳ  ８９−７９−２）のどちらも使用できる。１つの実施形態では、イソプレゴールは高砂（Ｔａｋａｓａｇｏ）の製品であるクールアクト（Ｃｏｏｌａｃｔ）（登録商標）Ｐとして入手可能である。本発明のイソプレゴールは、光学異性体を有してもよく、また９０％より高く、好ましくは９５％より高く、より好ましくは９７．５％より高く、なおより好ましくは９９％より高い化学的純度を有してもよい。イソプレゴール純度は、米国特許第５，７７３，４１０号明細書において記載された方法を用いたガスクロマトグラフィーにより、不純物ピークの面積パーセントを合計すること、およびこれらを、１００％と見なされる全測定面積から減算することにより測定される。
【００１８】
１つの実施形態では、家庭日用品製品はフレグランス組成物を含み、それはさらに１つ以上の冷感剤を、好ましくは冷感剤の合計で、フレグランス組成物の総重量基準で、約０．１から約１０重量％、好ましくは約０．１から約５重量％、より好ましくは約０．１から約２．５重量％の量で含む。他の冷感剤は、好ましくは、メントール（ＣＡＳ  ８９−７８−１）、メントン（ＣＡＳ  １４０７３−９７−３）、酢酸メンチル（ＣＡＳ  ７９−２０−９）、乳酸メンチル（ＣＡＳ  ５４７−６４−８）、カンファー（ＣＡＳ  ７６−２２−２）、１，４−シネオール（ＣＡＳ  ４７０−８２−６）、ｐ−メンタン−３，８−ジオール（ＣＡＳ  ４２８２２−８６−６）、メントキシプロパンジオール（ＣＡＳ  ８７０６１−０４−９）、メントングリセリンアセタール（ＣＡＳ  ６３１８７−９１−７）、３−ヒドロキシブタン酸２−イソプロピル−５−メチルシクロヘキシル（ＣＡＳ  １０８７６６−１６−１）、Ｎ−エチル−５−メチル−２−（１−メチルエチル）シクロヘキサンカルボキサミド（ＣＡＳ  ３９７１１−７９−０）、Ｎ，２，３−トリメチル−２−プロパン−２−イルブタンアミド（ＣＡＳ  ５１１１５−６７−４）、（３Ｓ，３ａＲ，３ｂＲ，４Ｓ，７Ｒ，７ａＲ）−３，７−ジメチル−４−（プロパン−２−イル）オクタヒドロ−１Ｈ−シクロペンタ［１，３］シクロプロパ［１，２］ベンゼン−３−オール（ＣＡＳ  ２３４４５−０２−５）、スペアミント油（ＣＡＳ  ８００８−７９−５）、およびペパーミント油（ＣＡＳ  ８００６−９０−４）からなる群より選択される。他の冷感剤がメントール（ＣＡＳ  ８９−７８−１）、カンファー（ＣＡＳ  ７６−２２−２）、シネオール（ＣＡＳ  ４７０−８２−６）、スペアミント油（ＣＡＳ  ８００８−７９−５）、またはペパーミント油（ＣＡＳ  ８００６−９０−４）である場合、その量はフレグランス組成物の総重量の２．５重量％を超えないことが好ましい。
【００１９】
別の実施形態によれば、家庭日用品製品はフレグランス組成物を含み、それはさらに香水成分を、かつ好ましくは少なくとも２つ、例えば少なくとも５つ、または少なくとも８つの別個の香水成分を含む。それは、任意の所望の匂いを提供するべく選択された、香水成分の高度に複雑な混合物を含んでもよい。香水類の分野において典型的に使用され、かつ本発明の目的に適した香水成分は、Ｓ．Ａｒｃｔａｎｄｅｒ著、Ｐｅｒｆｕｍｅ  Ｆｌａｖｏｒｓ  ａｎｄ  Ｃｈｅｍｉｃａｌｓ、１９６９年、第ＩおよびＩＩ巻、モントクレア、ニュージャージー州（Ｍｏｎｔｃｌａｉｒ，Ｎ．Ｊ．）、およびＴｈｅ  Ｍｅｒｃｋ  Ｉｎｄｅｘ第８版、Ｍｅｒｃｋ＆Ｃｏ．，Ｉｎｃ．ラーウェイ、ニュージャージー州（Ｒａｈｗａｙ，Ｎ．Ｊ．）において、より完全に記載されている。用語「香水成分」は、香水に使用することが知られている天然産ならびに合成の香水材料、同様に動物油も包含する。香水成分はまた、任意の天然油もしくは抽出物、またはフレグランス組成物において使用される化学化合物であってもよい。天然油および抽出物は、１９４９年にＶａｎ  Ｎｏｓｔｒａｎｄにより出版された、Ｅ．Ｇｕｅｎｔｈｅｒ著、Ｔｈｅ  Ｅｓｓｅｎｔｉａｌ  Ｏｉｌｓに記載されており、適当な植物の任意の部分：根、根茎、鱗茎、球茎、茎、樹皮、心材、葉、花、種子、および果実、からの抽出物、加圧物、浸出液収集物、および留出物を包含してもよい。かかる抽出物および留出物の例は、シトラス系果実油、例えばオレンジ、マンダリン、グレープフルーツ、ライム、またはレモン油、木油、例えばパインもしくはシダーウッド、ハーブ油、例えばペパーミント、タイム、ラベンダー、バジル、ローズマリー、クローブ、または花抽出物、例えばバラ、ジャスミン、スズラン、またはゼラニウム油を包含する。
【００２０】
また各香水成分は、１００ｇ／ｍｏｌより大きく、好ましくは１２０ｇ／ｍｏｌより大きく、かつ３２５ｇ／ｍｏｌより小さく、好ましくは３００ｇ／ｍｏｌより小さい分子量をもつことが好ましい。さらに各香水成分は、７６０ｍｍＨｇにおいて測定される場合、８０−４００℃の範囲、例えば１００−３５０℃の範囲の沸点を有することが好ましい。
【００２１】
香水成分は以下のリストから選択されることが好ましい。
【００２２】
Ｃ８−Ｃ１８炭化水素、好ましくはデルタ−３−カレン、アルファ−ピネン、ベータ−ピネン、アルファ−テルピネン、ガンマ−テルピネン、ｐ−シメン、ビサボレン、カンフェン、カリオフィレン、セドレン、ファルネセン、リモネン、ロンギホレン、ミルセン、オシメン、バレンセン、および（Ｅ，Ｚ）−１，３，５−ウンデカトリエン。
【００２３】
Ｃ２−Ｃ１８脂肪族アルコール、好ましくはヘキサノール、オクタノール、３−オクタノール、２，６−ジメチルヘプタノール、２−メチルヘプタノール、２−メチルオクタノール、（Ｅ）−３−ヘキセノール、（Ｅ）および（Ｚ）−３−ヘキセノール、１−オクテン−３−オール、３，４，５，６，６−ペンタメチル−３／４−ヘプテン−２−オールと３，５，６，６−テトラメチル−４−メチレンヘプタン−２−オールとの混合物、（Ｅ，Ｚ）−２，６−ノナジエノール、３，７−ジメチル−７−メトキシオクタン−２−オール、９−デセノール、１０−ウンデセノール、および４−メチル−３−デセン−５−オール。
【００２４】
Ｃ２−Ｃ１８脂肪族アルデヒドおよびそのアセタール、好ましくはヘキサナール、ヘプタナール、オクタナール、ノナナール、デカナール、ウンデカナール、ドデカナール、トリデカナール、２−メチルオクタナール、２−メチルノナナール、（Ｅ）−２−ヘキセナール、（Ｚ）−４−ヘプテナール、２，６−ジメチル−５−ヘプテナール、１０−ウンデセナール、（Ｅ）−４−デセナール、２−ドデセナール、２，６，１０−トリメチル−５，９−ウンデカジエナール、ヘプタナールジエチルアセタール、１，１−ジメトキシ−２，２，５−トリメチル−４−へキセン、およびシトロネリルオキシアセトアルデヒド。
【００２５】
Ｃ３−Ｃ１８脂肪族ケトンおよびそのオキシム、好ましくは２−ヘプタノン、２−オクタノン、３−オクタノン、２−ノナノン、５−メチル−３−ヘプタノン、５−メチル−３−ヘプタノンオキシム、および２，４，４，７−テトラメチル−６−オクテン−３−オン。
【００２６】
Ｃ２−Ｃ１８脂肪族硫黄含有化合物、好ましくは３−メチルチオヘキサノール、酢酸３−メチルチオヘキシル、３−メルカプトヘキサノール、酢酸３−メルカプトヘキシル、酪酸３−メルカプトヘキシル、酢酸３−アセチルチオヘキシル、および１−メンテン−８−チオール。
【００２７】
Ｃ２−Ｃ１８脂肪族ニトリル含有化合物、好ましくは２−ノネンニトリル、２−トリデセネンニトリル、２，１２−トリデセネン−ニトリル、３，７−ジメチル−２，６−オクタジエンニトリル、および３，７−ジメチル−６−オクテンニトリル。
【００２８】
Ｃ２−Ｃ１８脂肪族カルボン酸およびそのエステル、好ましくはギ酸（Ｅ）−および（Ｚ）−３−ヘキセニル、アセト酢酸エチル、酢酸イソアミル、酢酸ヘキシル、酢酸３，５，５−トリメチルヘキシル、酢酸３−メチル−２−ブテニル、酢酸（Ｅ）−２−ヘキセニル、酢酸（Ｅ）−および（Ｚ）−３−ヘキセニル、酢酸オクチル、酢酸３−オクチル、酢酸１−オクテン−３−イル、酪酸エチル、酪酸ブチル、酪酸イソアミル、酪酸ヘキシル、イソ酪酸（Ｅ）−および（Ｚ）−３−ヘキセニル、クロトン酸ヘキシル、イソ吉草酸エチル、２−メチルペンタン酸エチル、ヘキサン酸エチル、ヘキサン酸アリル、ヘプタン酸エチル、ヘプタン酸アリル、オクタン酸エチル、（Ｅ，Ｚ）−２，４−デカジエン酸エチル、２−オクチン酸メチル、２−ノニン酸メチル、２−イソアミルオキシ酢酸アリル、ならびに３，７−ジメチル−２，６−オクタジエン酸メチル。
【００２９】
Ｃ４−Ｃ１８非環式テルペンアルコール、好ましくはシトロネロール、ゲラニオール、ネロール、リナロール、ラバンジュロール、ネロリドール、ファルネソール、テトラヒドロリナロール、テトラヒドロゲラニオール、２，６−ジメチル−７−オクテン−２−オール、２，６−ジメチルオクタン−２−オール、２−メチル−６−メチレン−７−オクテン−２−オール、２，６−ジメチル−５，７−オクタジエン−２−オール、２，６−ジメチル−３，５−オクタジエン−２−オール、３，７−ジメチル−４，６−オクタジエン−３−オール、３，７−ジメチル−１，５，７−オクタトリエン−３−オール、２，６−ジメチル−２、５，７−オクタトリエン−１−オール。
【００３０】
Ｃ４−Ｃ１８非環式テルペンアルデヒドおよびケトン、好ましくはゲラニアール、ネラール、シトロネラール、７−ヒドロキシ−３，７−ジメチルオクタナール、７−メトキシ−３，７−ジメチルオクタナール、２，６，１０−トリメチル−９−ウンデセナール、ゲラニルアセトン、ならびにゲラニアール、ネラール、および７−ヒドロキシ−３，７−ジメチルオクタナールのジメチルおよびジエチルアセタール。
【００３１】
Ｃ４−Ｃ１８環式テルペンアルコール、好ましくはアルファ−テルピネオール、テルピネオール−４、メンタン−８−オール、メンタン−１−オール、メンタン−７−オール、ボルネオール、イソボルネオール、リナロールオキシド、ノポール、セドロール、アンブリノール、ベチベロール、およびグアイオール。
【００３２】
Ｃ４−Ｃ１８環式テルペンアルデヒドおよびケトン、好ましくはフェンコン、アルファ−イオノン、ベータ−イオノン、アルファ−ｎ−メチルイオノン、ベータ−ｎ−メチルイオノン、アルファ−イソメチルイオノン、ベータ−イソメチルイオノン、アルファ−イロン、アルファ−ダマスコン、ベータ−ダマスコン、ベータ−ダマセノン、デルタ−ダマスコン、ガンマ−ダマスコン、１−（２，４，４−トリメチル−２−シクロヘキセン−１−イル）−２−ブテン−１−オン、１，３，４，６，７，８ａ−ヘキサヒドロ−１，１，５，５−テトラメチル−２Ｈ−２，４ａ−メタノナフタレン−８（５Ｈ）−オン、ヌートカトン、ジヒドロヌートカトン、アルファ−シネンサール、ベータ−シネンサール、およびメチルセドリルケトン。
【００３３】
Ｃ４−Ｃ１８環式アルコール、好ましくは４−ｔｅｒｔ−ブチルシクロヘキサノール、３，３，５−トリメチルシクロヘキサノール、３−イソカンフィルシクロヘキサノール、２，６，９−トリメチル−Ｚ２，Ｚ５，Ｅ９−シクロドデカトリエン−１−オール、および２−イソブチル−４−メチルテトラヒドロ−２Ｈ−ピラン−４−オール。
【００３４】
Ｃ４−Ｃ１８環式脂肪族アルコール、好ましくはアルファ−３，３−トリメチルシクロヘキシルメタノール、２−メチル−４−（２，２，３−トリメチル−３−シクロペンタ−１−イル）ブタノール、２−メチル−４−（２，２，３−トリメチル−３−シクロペンタ−１−イル）−２−ブテン−１−オール、２−エチル−４−（２，２，３−トリメチル−３−シクロペンタ−１−イル）−２−ブテン−１−オール、３−メチル−５−（２，２，３−トリメチル−３−シクロペンタ−１−イル）−ペンタン−２−オール、３−メチル−５−（２，２，３−トリメチル−３−シクロペンタ−１−イル）−４−ペンテン−２−オール、３，３−ジメチル−５−（２，２，３−トリメチル−３−シクロペンタ−１−イル）−４−ペンテン−２−オール、１−（２，２，６−トリメチルシクロヘキシル）ペンタン−３−オール、および１−（２，２，６−トリメチルシクロヘキシル）ヘキサン−３−オール。
【００３５】
Ｃ４−Ｃ１８環式および環式脂肪族エーテル、好ましくはセドリルメチルエーテル、シクロドデシルメチルエーテル、（エトキシメトキシ）シクロドデカン、アルファ−セドレンエポキシド、３ａ，６，６，９ａ−テトラメチル−ドデカヒドロナフト［２，１−ｂ］フラン、３ａ−エチル−６，６，９ａ−トリメチルドデカヒドロ−ナフト［２，１−ｂ］フラン、１，５，９−トリメチル−１３−オキサビシクロ［１０．１．１０］トリデカ−４，８−ジエン、ローズオキシド、および２−（２，４−ジメチル−３−シクロヘキセン−１−イル）−５−メチル−５−（１−メチルプロピル）−１，３−ジオキサン。
【００３６】
Ｃ４−Ｃ１８環式ケトン、好ましくは４−ｔｅｒｔ−ブチルシクロヘキサノン、２，２，５−トリメチル−５−ペンチルシクロペンタノン、２−ヘプチルシクロペンタノン、２−ペンチルシクロペンタノン、２−ヒドロキシ−３−メチル−２−シクロペンテン−１−オン、３−メチル−シス−２−ペンテン−１−イル−２−シクロペンテン−１−オン、３−メチル−２−ペンチル−２−シクロペンテン−１−オン、３−メチル−４−シクロペンタデセノン、３−メチル−５−シクロペンタデセノン、３−メチルシクロペンタデカノン、４−（１−エトキシビニル）−３，３，５，５−テトラメチルシクロヘキサノン、４−ｔｅｒｔ−ペンチルシクロヘキサノン、５−シクロヘキサデセン−１−オン、６，７−ジヒドロ−１，１，２，３，３−ペンタメチル−４（５Ｈ）−インダノン、９−シクロヘプタデセン−１−オン、シクロペンタデカノン、およびシクロヘキサデカノン。
【００３７】
Ｃ４−Ｃ１８環式脂肪族アルデヒド、好ましくは２，４−ジメチル−３−シクロヘキセンカルバルデヒド、２−メチル−４−（２，２，６−トリメチル−シクロヘキセン−１−イル）−２−ブテナール、４−（４−ヒドロキシ−４−メチルペンチル）−３−シクロヘキセンカルバルデヒド、および４−（４−メチル−３−ペンテン−１−イル）−３−シクロヘキセンカルバルデヒド。
【００３８】
Ｃ４−Ｃ１８環式脂肪族ケトン、好ましくは１−（３，３−ジメチルシクロヘキシル）―４−ペンテン−１−オン、１−（５，５−ジメチル−１−シクロヘキセン−１−イル）−４−ペンテン−１−オン、２，３，８，８−テトラメチル−１，２，３，４，５，６，７，８−オクタヒドロ−２−ナフタレニルメチルケトン、メチル−２，６，１０−トリメチル−２，５，９−シクロドデカトリエニルケトン、およびｔｅｒｔ−ブチル（２，４−ジメチル−３−シクロヘキセン−１−イル）ケトン。
【００３９】
Ｃ４−Ｃ１８の環式アルコールのエステル、好ましくは酢酸２−ｔｅｒｔ−ブチルシクロヘキシル、酢酸４−ｔｅｒｔ−ブチル−シクロヘキシル、酢酸２−ｔｅｒｔ−ペンチルシクロヘキシル、酢酸４−ｔｅｒｔ−ペンチルシクロヘキシル、酢酸デカヒドロ−２−ナフチル、酢酸３−ペンチルテトラヒドロ−２Ｈ−ピラン−４−イル、酢酸デカヒドロ−２，５，５，８ａ−テトラメチル−２−ナフチル、酢酸４，７−メタノ−３ａ，４，５，６，７，７ａ−ヘキサヒドロ−５または６−インデニル、プロピオン酸４，７−メタノ−３ａ，４，５，６，７，７ａ−ヘキサヒドロ−５または６−インデニル、イソ酪酸４，７−メタノ−３ａ，４，５，６，７，７ａ−ヘキサヒドロ−５または６−インデニル、および酢酸４，７−メタノオクタヒドロ−５または６−インデニル。
【００４０】
Ｃ４−Ｃ１８の環式脂肪族カルボン酸のエステル、好ましくは３−シクロヘキシルプロピオン酸アリル、シクロヘキシルオキシ酢酸アリル、ジヒドロジャスモン酸メチル、ジャスモン酸メチル、２−ヘキシル−３−オキソシクロペンタンカルボン酸メチル、２−エチル−６，６−ジメチル−２−シクロヘキセンカルボン酸エチル、２，３，６，６−テトラメチル−２−シクロヘキセンカルボン酸エチル、および２−メチル−１，３−ジオキソラン−２−酢酸エチル。
【００４１】
Ｃ４−Ｃ１８芳香族炭化水素、好ましくはスチレンおよびジフェニルメタン。
【００４２】
Ｃ４−Ｃ１８芳香脂肪族アルコール、好ましくはベンジルアルコール、１−フェニルエチルアルコール、２−フェニルエチルアルコール、３−フェニルプロパノール、２−フェニルプロパノール、２−フェノキシエタノール、２，２−ジメチル−３−フェニルプロパノール、２，２−ジメチル−３−（３−メチルフェニル）プロパノール、１，１−ジメチル−２−フェニルエチルアルコール、１，１−ジメチル−３−フェニルプロパノール、１−エチル−１−メチル−３−フェニルプロパノール、２−メチル−５−フェニルペンタノール、３−メチル−５−フェニルペンタノール、３−フェニル−２−プロペン−１−オール、４−メトキシベンジルアルコール、および１−（４−イソプロピルフェニル）エタノール。
【００４３】
Ｃ４−Ｃ１８の芳香脂肪族アルコールおよびＣ４−Ｃ１８の脂肪族カルボン酸のエステル、好ましくは酢酸ベンジル、プロピオン酸ベンジル、イソ酪酸ベンジル、イソ吉草酸ベンジル、酢酸２−フェニルエチル、プロピオン酸２−フェニルエチル、イソ酪酸２−フェニルエチル、イソ吉草酸２−フェニルエチル、酢酸１−フェニルエチル、酢酸アルファ−トリクロロメチルベンジル、酢酸アルファ，アルファ−ジメチルフェニルエチル、酪酸アルファ，アルファ−ジメチルフェニルエチル、酢酸シンナミル、イソ酪酸２−フェノキシエチル、および酢酸４−メトキシベンジル。
【００４４】
Ｃ２−Ｃ１８芳香脂肪族エーテル、好ましくは２−フェニルエチルメチルエーテル、２−フェニルエチルイソアミルエーテル、２−フェニルエチル１−エトキシエチルエーテル、フェニルアセトアルデヒドジメチルアセタール、フェニルアセトアルデヒドジエチルアセタール、ヒドラトロプアルデヒドジメチルアセタール、フェニルアセトアルデヒドグリセロールアセタール、２，４，６−トリメチル−４−フェニル−１，３−ジオキサン、４，４ａ，５，９ｂ−テトラヒドロインデノ［１，２−ｄ］−ｍ−ジオキシン、および４，４ａ，５，９ｂ−テトラヒドロ−２，４−ジメチルインデノ［１，２−ｄ］−ｍ−ジオキシン。
【００４５】
Ｃ４−Ｃ１８芳香族および芳香脂肪族アルデヒド、好ましくはベンズアルデヒド、フェニルアセトアルデヒド、３−フェニルプロパナール、ヒドラトロプアルデヒド、４−メチルベンズアルデヒド、４−メチルフェニルアセトアルデヒド、３−（４−エチルフェニル）−２，２−ジメチルプロパナール、２−メチル−３−（４−イソプロピルフェニル）プロパナール、２−メチル−３−（４−ｔｅｒｔ−ブチルフェニル）プロパナール、３−（４−ｔｅｒｔ−ブチルフェニル）プロパナール、シンナムアルデヒド、アルファ−ブチルシンナムアルデヒド、アルファ−アミルシンナムアルデヒド、アルファ−ヘキシルシンナムアルデヒド、３−メチル−５−フェニルペンタナール、４−メトキシベンズアルデヒド、４−ヒドロキシ−３−メトキシベンズアルデヒド、４−ヒドロキシ−３−エトキシベンズアルデヒド、３，４−メチレンジオキシベンズアルデヒド、３，４−ジメトキシベンズアルデヒド、２−メチル−３−（４−メトキシフェニル）プロパナール、および２−メチル−３−（４−メチレンジオキシフェニル）プロパナール。
【００４６】
Ｃ４−Ｃ１８芳香族および芳香脂肪族ケトン、好ましくはアセトフェノン、４−メチルアセトフェノン、４−メトキシアセトフェノン、４−ｔｅｒｔ−ブチル−２，６−ジメチルアセトフェノン、４−フェニル−２−ブタノン、４−（４−ヒドロキシフェニル）−２−ブタノン、１−（２−ナフタレニル）エタノン、ベンゾフェノン、１，１，２，３，３，６−ヘキサメチル−５−インダニルメチルケトン、６−ｔｅｒｔ−ブチル−１，１−ジメチル−４−インダニルメチルケトン、１−［２，３−ジヒドロ−１，１，２，６−テトラメチル−３−（１−メチルエチル）−１Ｈ−５−インデニル］エタノン、および５’，６’，７’，８’−テトラヒドロ−３’，５’，５’，６’，８’，８’−ヘキサメチル−２−アセトナフトン。
【００４７】
Ｃ４−Ｃ１８芳香族および芳香脂肪族カルボン酸およびそれらのエステル、好ましくはフェニル酢酸、安息香酸メチル、安息香酸エチル、安息香酸ヘキシル、安息香酸ベンジル、フェニル酢酸メチル、フェニル酢酸エチル、フェニル酢酸ゲラニル、フェニル酢酸フェニルエチル、ケイ皮酸メチル、ケイ皮酸エチル、ケイ皮酸ベンジル、ケイ皮酸フェニルエチル、ケイ皮酸シンナミル、フェノキシ酢酸アリル、サリチル酸メチル、サリチル酸イソアミル、サリチル酸ヘキシル、サリチル酸シクロヘキシル、サリチル酸ｃｉｓ−３−ヘキセニル、サリチル酸ベンジル、サリチル酸フェニルエチル、２，４−ジヒドロキシ−３，６−ジメチル安息香酸メチル、３−フェニルグリシド酸エチル、および３−メチル−３−フェニルグリシド酸エチル。
【００４８】
Ｃ４−Ｃ１８の窒素含有芳香族化合物、好ましくは２，４，６−トリニトロ−１，３−ジメチル−５−ｔｅｒｔ−ブチルベンゼン、３，５−ジニトロ−２，６−ジメチル−４−ｔｅｒｔ−ブチルアセトフェノン、シンナモニトリル、５−フェニル−３−メチル−２−ペンテンニトリル、５−フェニル−３−メチルペンタンニトリル、アントラニル酸メチル、Ｎ−メチルアントラニル酸メチル、アントラニル酸メチルと、７−ヒドロキシ−３，７−ジメチルオクタナール、２−メチル−（４−ｔｅｒｔ−ブチルフェニル）プロパナール、２，４−ジメチル−３−シクロヘキセン−カルバルデヒドとのシッフ塩基、６−イソプロピルキノリン、６−イソブチルキノリン、６−ｓｅｃ−ブチルキノリン、インドール、スカルトール、２−メトキシ−３−イソプロピルピラジン、および２−イソブチル−３−メトキシピラジン。
【００４９】
フェノール、フェニルエーテルおよびフェニルエステル、好ましくはエストラゴール、アネトール、オイゲノール、オイゲニルメチルエーテル、イソオイゲノール、イソオイゲニルメチルエーテル、チモール、カルバクロール、ジフェニルエーテル、ベータ−ナフチルメチルエーテル、ベータ−ナフチルエチルエーテル、ベータ−ナフチルイソブチルエーテル、１，４−ジメトキシベンゼン、酢酸オイゲニル、２−メトキシ−４−メチルフェノール、２−エトキシ−５−（１−プロペニル）フェノール、およびフェニル酢酸ｐ−クレジル。
【００５０】
Ｃ４−Ｃ１２の複素環式化合物、好ましくは２，５−ジメチル−４−ヒドロキシ−２Ｈ−フラン−３−オン、２−エチル−４−ヒドロキシ−５−メチル−２Ｈ−フラン−３−オン、３−ヒドロキシ−２−メチル−４Ｈ−ピラン−４−オン、および２−エチル−３−ヒドロキシ−４Ｈ−ピラン−４−オン。
【００５１】
Ｃ４−Ｃ１８のラクトン、好ましくは１，４−オクタノリド、３−メチル−１，４−オクタノリド、１，４−ノナノリド、１，４−デカノリド、８−デセン−１，４−オリド、１，４−ウンデカノリド、１，４−ドデカノリド、１，５−デカノリド、１，５−ドデカノリド、１，１５−ペンタデカノリド、ｃｉｓおよびトランス−１１−ペンタデセン−１，１５−オリド、ｃｉｓおよびトランス−１２−ペンタデセン−１，１５−オリド、１，１６−ヘキサデカノリド、９−ヘキサデセン−１，１６−オリド、１０−オキサ−１，１６−ヘキサデカノリド、１１−オキサ−１，１６−ヘキサデカノリド、１２−オキサ−１，１６−ヘキサデカノリド、１，１２−ドデカン二酸エチレン、１，１３−トリデカン二酸エチレン、クマリン、２，３−ジヒドロクマリン、およびオクタヒドロクマリン。
【００５２】
家庭日用品製品のフレグランス組成物中に存在する香水成分は、好ましくは、イオン化官能基、例えばスルホン酸塩、硫酸塩、リン酸塩、または第四級アンモニウムイオンを含有しない。
【００５３】
本発明のフレグランス組成物は、１つ以上の支持材料、例えば溶媒またはＵＶ安定剤を含んでもよい。溶媒の量は、家庭日用品製品の総重量の６０重量％まで、例えば５０重量％まで、例えば４０重量％まで存在してもよい。適当な溶媒の例は、炭化水素、例えば商品名イソパール（Ｉｓｏｐａｒ）（登録商標）で販売されるもの；エーテル、例えば商品名ドワノール（Ｄｏｗａｎｏｌ）（登録商標）で販売されるもの；安息香酸ベンジル；ミリスチン酸イソプロピル；アジピン酸ジアルキル；コハク酸ジアルキル；グルタール酸ジアルキル、例えば商品名Ｆｌｅｘｉｓｏｌｖ（登録商標）で販売されるジメチルエステル；クエン酸エステル、例えばクエン酸トリエチルおよびアセチルクエン酸トリブチル；大豆メチルエステル、例えばＭＥ−Ｓ１８８５（ピーター・クレーマー（Ｐｅｔｅｒ  Ｃｒｅｍｅｒ）ＮＡにより販売）、フタル酸ジエチル、ジエチレングリコールモノエチルエーテル；３−メトキシ−３−メチル−１−ブタノール、ジプロピレングリコール；および商品名Ａｕｇｅｏ（商標）Ｃｌｅａｎ  Ｍｕｌｔｉで販売されるイソプロピリデングリセロールを包含する。ＵＶ安定剤の例は、ブチルメトキシジベンゾイルメタン；ビス−エチルヘキシルオキシフェノールメトキシフェニルトリアジン；および商品名Ｕｖｉｎｕｌ（登録商標）で販売されるもの、例えばＵｖｉｎｕｌ（登録商標）Ｄ５０［（ビス（２，４ジヒドロキシフェニル）−メタノン］、Ｕｖｉｎｕｌ（登録商標）ＭＣ８０（メトキシケイ皮酸オクチル）およびＵｖｉｎｕｌ  Ｍ４０（ベンゾフェノン−３）を包含する。
【００５４】
１つの実施形態では、本発明の家庭日用品製品は、エアフレッシュナーディスペンサー装置である。
【００５５】
エアフレッシュナーディスペンサー装置は、
−スプレー（米国特許出願公開第２００７／０１２２３７３号明細書に例示されたような、自動スプレー、手動加圧エアゾールスプレー、またはポンプアクションスプレーなど）、ディフューザー、ゲル、キャンドル、ワックス、ワックスメルト、ポットポプリ、含浸紙、および積層カードボードから選択される受動蒸発装置、または
−好ましくは加熱要素を含む、電動エアフレッシュナーディスペンサー装置であって、前記電動エアフレッシュナーディスペンサー装置が、好ましくは米国特許第６１２３９３５号明細書に記載されたような電圧素子装置またはプラグである装置、
であってよい。
【００５６】
別の態様によれば、本発明の家庭日用品製品は、台所またはバスルーム用サーフェスクリーナー、または床クリーナーである。床クリーナーは、汎用クリーナーとしても知られ、またカーペットクリーナーも包含する。それらは様々な形態：均一液体、研磨剤あるなしの濃化液、ペースト、ゲル、フォーム、またはスプレーでよい。それらはボトルから直接、または水に希釈した後に使用してもよい。様々な送達法が使用者の便宜のために考案されており、あるものはトリガースプレーボトルから表面上へ噴霧され、あるいはまたそれらが表面上へ直接注がれてもよい。それらは、付加的な成分、例えば水垢の除去のための酸、衛生のための殺生物剤、または漂白剤を含有してもよい。標準的な床クリーナー組成物は、主要成分およびそれらの量を集約する以下の表１に示されている（Ｓｕｒｆａｃｔａｎｔ  Ｓｃｉｅｎｃｅ  Ｓｅｒｉｅｓ、第６７巻、Ｌｉｑｕｉｄ  Ｄｅｔｅｒｇｅｎｔｓ  ｃｈａｐｔｅｒ  ｏｎ  Ｓｐｅｃｉａｌｉｔｙ  ｌｉｑｕｉｄ  Ｈｏｕｓｅｈｏｌｄ  Ｓｕｒｆａｃｅ  Ｃｌｅａｎｅｒｓ、ｐ．４７９、第４表より引用）。
【００５７】
【表１】
2019513839.tif 000002
【００５８】
別の態様によれば、本発明の家庭日用品製品は、固体または液体のトイレリムブロックである。
【００５９】
固体トイレリムブロックは、便器または小便器の縁の下に配置されて、水洗サイクルの間に水槽からの水がブロックの上を流れ、それによりトイレリムブロックの一部を溶解するようにすることが意図されている。本発明はまた、便器の表面に直接粘着するケージレスリムブロック、および水槽内に配置されてそこに含まれる水に徐々に溶解する固体トイレ水槽ブロックにも関する。これらの２つの製品の溶解性がかなり異なるということは理解されるであろう。なぜなら、１つは常に水中にあるが、他方は水と散発的に短時間接触するからである。しかしながら、それらは双方ともに界面活性剤、充填剤、および本発明によって定義されたようなフレグランス組成物、および任意で漂白剤、殺菌剤、および水垢防止剤を含有する。典型的な配合は、欧州特許第０４６２６４３号明細書、英国特許第２１７８４４２号明細書、米国特許第８６５８５８８号明細書、および米国特許第４８７４５３６号明細書に記載されており、これらはここに参照として取り込まれる。
【００６０】
液体トイレリムブロックは、便器の縁の下から液体組成物を前記便器の中へ直接分配する装置である。かかる液体トイレリムブロックは通常、フック等の種々の手段によって便器の縁に取付けられる。液体トイレリムブロックを備えたトイレが水洗されるたびごとに、ある量の組成物が便器内に分配される。液体トイレリムブロックの例は、国際公開第０２／４０７９２号、欧州特許第０７７５７４１号明細書、および国際公開第０１／９４５２０号に示されており、これらはここに参照として取り込まれる。
【００６１】
第２の態様によれば、本発明は、イソプレゴールの、または本発明により定義されるような家庭日用品製品の、知覚される冷感を空気中で送達するための薬剤としての使用に関する。
【００６２】
第３の態様によれば、本発明は、知覚される冷感を空気中で送達するための方法であって、イソプレゴールを空気中に分散させること、または本発明により定義されるような家庭日用品製品を使用することを含む、方法を提供する。イソプレゴールは分散されてもよく、或いは家庭日用品製品は、本明細書に記載された任意の噴霧器、物品、および装置によるか、もしくは任意の他の適当な装置により、または任意の他の適当な方法で使用されてもよい。イソプレゴールは分散可能であり、或いは家庭日用品製品は噴霧液滴の形態で使用可能である。
【００６３】
最後に、本発明は、フレッシュニングおよび／または冷感を空気を介して送達するための方法であって、本発明により定義された、エアフレッシュナーディスペンサー装置、床クリーナー、台所またはバスルーム用サーフェスクリーナー、トイレリムブロック、あるいはトイレ貯水槽ブロックを使用することを含む、方法を提供する。
【００６４】
上記の条件に加えて、本発明はまた以下に続く残りの記載から明らかになる他の条件も含む。
【実施例】
【００６５】
例１
フレグランスＡの配合
硬表面クリーニング製品における使用に適しかつ表２に示した組成をもつ、オレンジフレグランスを調製した。量は、重量％である。
【００６６】
【表２】
2019513839.tif 000003
【００６７】
例２
フレグランスＢの配合
電気式エアフレッシュナー装置における使用に適しかつ表３に示した組成をもつ、ライムタイプのフレグランスを調製した。量は、重量％である。
【００６８】
【表３】
2019513839.tif 000004
【００６９】
例３
フレグランスＣの配合
本開示において言及された任意の適用における使用に適しかつ表４に示した組成をもつ、嗅覚タイプフローラル／アロマティックフレグランスを調製した。量は、重量％である。
【００７０】
【表４】
2019513839.tif 000005
【００７１】
例４
冷感感覚比較試験
比較試験に参加するため、２３名のパネリストが選ばれた。実施例２および３によるフレグランス組成物それぞれを、５重量％のイソプレゴールが添加された同じ組成物と比較した。被験者は、フレグランスを容易に知覚できるよう鼻から快適な距離にあるガラス瓶から各フレグランス組成物の匂いをかぎ、そしてどちらの組成物がより冷たい知覚される感覚を与えたかを決めなければならなかった。結果は、所与の組成物を好んだ被験者の％として表５に集積されている。
【００７２】
【表５】
2019513839.tif 000006
【００７３】
上記の結果から、イソプレゴールを含有するフレグランス組成物が、空気中で有意により冷たい知覚される感覚を与えたことが見てとれる。
【００７４】
例５
嗅覚強度比較試験
実施例４で試験したものと同じフレグランス組成物を、知覚される嗅覚強度について試験した。この実験では、２３名のパネリストが、各組成物の強度を０（検出せず）から１００（極めて強い）のスケールでスコア付けした。結果は、各組成物に対し与えられた平均スコアとして表６に集積されている。
【００７５】
【表６】
2019513839.tif 000007
【００７６】
イソプレゴールがあるなしのフレグランス組成物の間の差異は、９５％信頼区間において統計的に有意ではない。これらの結果は、イソプレゴールの添加が、さもなければ強い香水の知覚強度に何ら影響を及ぼさないことを示している。
【００７７】
例６
嗅覚関連電位（ＯＥＲＰ）実験
実施例１のオレンジフレグランス組成物（フレグランスＡ）を、５重量％イソプレゴールを加えた同じ組成物と比較した。
【００７８】
試験には、嗅覚測定器（Ｂｕｒｇｈａｒｔ  ＯＭ８ｂ）をプログラムして９０の刺激ブロックを連続して提示した。各ブロックは、５つの刺激、すなわち、３つの加湿恒温空気中のフレグランスＡの同じ刺激（刺激Ｈ）、そして同じく加湿恒温空気中のイソプレゴールを含有するオレンジフレグランス組成物の刺激（刺激Ｄ）、そして最後にフレグランスＡの刺激を含有していた。対照ブロックは、それぞれ５つの同じフレグランスＡの刺激を含有していた。
【００７９】
したがって、試験ブロックの提示順は：
Ｈ１、Ｈ２、Ｈ３、Ｄ、Ｈ５であり、
一方対照ブロックの順序は：
Ｈ１、Ｈ２、Ｈ３、Ｈ４、Ｈ５である。
【００８０】
試験ブロックおよび対照ブロックの提示は、合計９０の提示について無作為に反復された。検査には定期的に休憩があり、その間に被験者はフレグランス組成物についてのアンケートに答えた。刺激間の間隔は４秒間続いた。刺激ブロック後には、約２０秒間続く評価時間が続いた。
【００８１】
刺激は、嗅覚測定器において以下のように生成された。
ｉ）刺激Ｈは、提示される空気の４０％をなす、毎分２．８リットル（ｌ／ｍｉｎ）の気流でのフレグランスＡで飽和された空気で生成され、残りの６０％は４．２ｌ／ｍｉｎの気流での空気であり、
ｉｉ）刺激Ｄは、提示される空気の４０％をなす、フレグランスＡで飽和された空気で生成され、３０％は２．１ｌ／ｍｉｎの気流での、イソプレゴールで飽和された空気あり、そして残りの３０％は２．１ｌ／ｍｉｎの気流での空気であった。
【００８２】
パネルは、２１−３５歳の年齢範囲の２３名の被験者（男性９名および女性１４名）から構成された。被験者は全て、正常な嗅覚機能を確認するための一連の検査によるスクリーニング済みであった。パネルは、実施例５と同じ方法で、各刺激をスコア付けした。
【００８３】
平均パネルスコアは以下の表７に集積されている。
【００８４】
【表７】
2019513839.tif 000008
【００８５】
Ｈ１、Ｈ２、Ｈ３、Ｈ４またはＤ、Ｈ５と標識された５つの刺激提示に対する応答は、提示ＤにおいてイソプレゴールがフレグランスＡに添加された場合のみ有意に異なるにすぎなかった（Ｆ［４；７６］＝１２．４；ｐ＜０．００１）。オレンジフレグランス対照試料については、何ら有意な変化はない（Ｆ［４；７６］＝１．３２；ｐ＝０．２７）。
【００８６】
同じ実験の間に、嗅覚関連電気生理学的測定を記録した。脳波検査（ＥＥＧ）（０．２−３０Ｈｚバンドパス）は、連結された耳垂（Ａ１＋Ａ２）を参考として、１０／２０システムの５つの部位（Ｆｚ、Ｃｚ、Ｐｚ、Ｃ３、Ｃ４）から記録された。縦方向の目の動きは、追加の場所から記録された（Ｆｐ２、Ａ１＋Ａ２を参考として）。瞬目によって混入した全ての単一応答は、平均化の前に廃棄された。ＯＥＲＰのベースピーク振幅（Ａ−Ｎ１、Ａ−Ｐ２）のために、ピークピーク振幅（Ａ−Ｎ１Ｐ２）、および潜伏時間（刺激開始に関連し；Ｔ−Ｎ１、Ｔ−Ｐ２）を測定した。
【００８７】
記録位置Ｃｚ、Ｆｚ、およびＰｚにおけるＥＲＰピークピーク振幅Ｎ１Ｐ２が記録され、結果はそれぞれ以下の表８、９、および１０に要約されている。対照試料（フレグランスＡ）については、Ｈ４はＨ１、Ｈ２、Ｈ３、またはＨ５のいずれにも等しく、試験試料Ｄは、（フレグランスＡ＋イソプレゴール）である。
【００８８】
【表８】
2019513839.tif 000009
【００８９】
【表９】
2019513839.tif 000010
【００９０】
【表１０】
2019513839.tif 000011
【００９１】
記録位置Ｃｚ、Ｆｚ、およびＰｚにおけるＥＲＰピークピーク振幅Ｎ１Ｐ２について、５つの刺激に対する応答は、試験試料については有意に異なっていたが（フレグランスＡ＋イソプレゴール）（Ｆ［４；７６］＝１２．４；ｐ＜０．００１）、フレグランスＡ単独（対照）ではそうではなかった（Ｆ［４；７６］＝１．３２；ｐ＝０．２７）。同様の知見が振幅Ｐ２について得られた（（フレグランスＡ＋イソプレゴール）（Ｆ［４；７６］＝４．５４；ｐ＝０．００２）、フレグランスＡ単独（対照）（Ｆ［４；７６］＝０．６６；ｐ＝０．６２）。
【００９２】
イソプレゴールの効果はまた図１および２においても示されており、これにおいては、イソプレゴール（Ｃｏｏｌａｃｔ（登録商標）Ｐ）が添加されたフレグランスＡ（オレンジフレグランス）による刺激は、結果として記録位置Ｃｚ、Ｆｚ、およびＰｚにおける振幅Ｎ１Ｐ２に、フレグランスＡ単独による刺激に比較して有意な増加を生じる。
【００９３】
例７
イソプレゴールとメントキシプロパンジオールとの間の感覚の比較
イソプレゴール（Ｃｏｏｌａｃｔ（登録商標）Ｐとして市販）とメントキシプロパンジオール（ＣＡＳ  ８７０６１−０４−９、Ｃｏｏｌａｃｔ（登録商標）１０として市販）との間の比較試験に参加するため、８４名のパネリストが選ばれた。両方共、皮膚に対する冷感効果で知られている。
【００９４】
イソプレゴールおよびメントキシプロパンジオールの試料は、クエン酸トリエチル（ＴＥＣ）中で３％に希釈することにより調製した。
【００９５】
パネリストはまた、彼らが鼻において冷感を知覚したかどうかを、スケールの中間を０（ニュートラル）として、＋１００（非常に冷たい）から−１００（非常に熱い）のスケールでスコア付けしなければならなかった。
【００９６】
ＡＮＯＶＡ試験およびスチューデントのｔ検定の双方は、パネリストが、イソプレゴールについて、メントキシプロパンジオールに比較して改善された冷感知覚を感じたことを示した。これらの結果は、統計的に有意である（ＡＮＯＶＡ：Ｆ比＝５．６９；ｐ＜０．０５；ｔ−検定：アルファ＝０．０５）。
【００９７】
例８
イソプレゴールおよびメントキシプロパンジオールのＴＲＰＭ８活性化
ＴＲＰＭ８は、カチオンチャネルの一過性受容体ポテンシャル（ＴＲＰ）ファミリーのメンバーであり、冷感により活性化される。それはしばしば「冷メントール受容体」と称される。イソプレゴールおよびメントキシプロパンジオールがＴＲＰＭ８を活性化するかどうかを、以下に記載される方法により決定した。
【００９８】
ヒトＴＲＰＭ８を用いて安定にトランスフェクトされたＨＥＫ−２９３（ヒト胎児腎臓）細胞を、アール塩平衡塩類溶液（Ｌｏｎｚａカタログ番号ＢＥ１２−１２５Ｆ）、５ｍＬの２００ｍＭウルトラグルタミン（Ｕｌｔｒａｇｌｕｔａｍｉｎｅ）１（Ｌｏｎｚａカタログ番号ＢＥ１７−６０５Ｅ／Ｕ１）、５ｍＬの１００Ｘペニシリン／ストレプトマイシン（Ｌｏｎｚａカタログ番号ＤＥ１７−６０２Ｅ）、５０ｍＬのウシ胎児血清（Ｅｕｒｏｃｌｏｎｅカタログ番号ＥＣＳ０１８０Ｌ）、２ｍＬの１００ｍｇ／ｍＬ硫酸ゲンタマイシン（Ｇ４１８硫酸塩  ＩｎｖｉｖｏＧｅｎ  ＣａｔＡｎｔ−ｇｎ−５）を加えたＥＭＥＭ（イーグル最小必須培地）の培地中で増殖させた。
【００９９】
１０，０００細胞／ウェルを、３８４ＭＴＰにおいて完全培地中に播種した。次いで、２４時間後に培地を手作業により除去した。細胞に、２０μＬ／ウェルの、標準的なタイロード緩衝液中の０．５ｘ  Ｆｌｕｏ−８ＮＷ色素（ＡＡＴ  Ｂｉｏｑｕｅｓｔカタログ番号２６３１６により供給されるＳｃｒｅｅｎ  ＱｕｅｓｔＴＭＦｌｕｏ−８  無洗浄カルシウムアッセイキット）を負荷した。プレートを暗中で、室温で１時間インキュベートした。１０μＬ／ウェルの試験化合物および対照を、ＦＬＩＰＲＴＥＴＲＡ（Ｍｏｌｅｃｕｌａｒ  Ｄｅｖｉｃｅｓ）を用いて注入し、５２０ｎｍにおいて放射された蛍光シグナルを、３分間記録した。化合物のマルチウォールプレートは、試料を８つの異なる用量で四重のデータポイントにて含有した。試料の用量応答は、１：２の連続希釈を用いて１００％ＤＭＳＯ中１００ｍＭの濃度から開始し、そしてアッセイ緩衝液中で最終濃度１００μＭ、５０μＭ、２５μＭ、１２．５μＭ、６μＭ、３μＭ、１．５μＭ、および０．７μＭに希釈した。
【０１００】
化合物プレートにはまた、参考アゴニストであるＮエチル−ｐ−メンタン−３−カルボキサミド（ＷＳ３）の用量応答も、８つの濃度でかつ二重に存在した。ＥＣ１００における参考アゴニストの１６ウェエル（各濃度につき二重）として適用されたこの参考対照は、ＭＡＸシグナル応答（１００％活性）に相当する。また１６ウェルのブランク、すなわち、ＭＩＮシグナル応答（０％活性）に相当する、試験試料も参考アゴニストもないアッセイ緩衝液も存在した。ＭＡＸおよびＭＩＮ対照は、データ分析（ＲＺ計算）および化合物活性の標準化に使用される。
【０１０１】
データ分析のためには、応答値は、インジェクション後の動的追跡の最大シグナルからインジェクション前のポイントの中央値を差し引き、そして標準化係数（ＮＦ）を乗算することで計算される。標準化係数は、特定のウェルのベースラインで除算された、プレート中の全ウェルのベースライン平均値である。
【０１０２】
アゴニスト効果は、試験試料ウェルの応答値がＭＡＸ対照の１つに等しいレベルに達する結果を１００％活性（参考アゴニストＥＣ１００に相当する最大シグナルウェル）とし、試験試料ウェルの応答値がＭＩＮ対照の１つに等しいレベルに達する結果を０％活性（アッセイ緩衝液に相当する最小シグナルウェル）として、活性のパーセントとして表される。
【０１０３】
試験試料の活性の％を計算するために、以下の式により、応答値をＭＡＸシグナル対照およびＭＩＮシグナル対照に対し標準化して活性％を得た。
【０１０４】
【数１】
2019513839.tif 000012
【０１０５】
次いで、試験試料のＥＣ５０は、データ分析ソフトウェア内で使用可能なカーブフィッティングプログラムを用いて計算した。以下の結果を得た。
ＷＳ３（参考）：ＥＣ５０＝６．０×１０−６Ｍ
イソプレゴール（Ｃｏｏｌａｃｔ（登録商標）Ｐ）：ＥＣ５０＝１．１０×１０−４Ｍ
メントキシプロパンジオール：ＥＣ５０＝７．７×１０−６Ｍ
【０１０６】
イソプレゴールおよびメントキシプロパンジオールの双方がＴＲＰＭ８を活性化することが見てとれる。イソプレゴールのＥＣ５０はメントキシプロパンジオールのそれよりも低いが、それにもかかわらず前者は改善された冷感知覚を与えた。これらの結果は、実施例７のものと組合せて、ＴＲＰＭ８受容体の活性化と空気中で知覚される冷感感覚との間に、直接的な関係はないこと（すなわち、より強いアゴニストが、知覚される冷感感覚という面では必ずしもより良いとは限らないこと）を示している。
【０１０７】
本発明を詳細に、またその特定の実施態様の援用により説明したが、その趣旨および範囲を逸脱することなくさまざまな変更や修正を加えることができることは当業者には明らかであろう。本願は２０１６年２月２４日出願の欧州特許出願第１６３０５２１５．２号明細書に基づき、その主題全体はここに参照として取り込まれる。
【産業上の利用可能性】
【０１０８】
本発明においては、知覚される冷感感覚を空気中で送達できるが、製品自体が被験者の皮膚または粘膜に直接接触することはなく、また製品が鼻に近接する必要もない。
【図１】
2019513839.tif 000013
【図２】
2019513839.tif 000014
【国際調査報告】
2019513839.tif 000015
2019513839.tif 000016
2019513839.tif 000017
2019513839.tif 000018
2019513839.tif 000019